(57)【要約】【課題】所定の図柄に手書き内容を挿入した文書を電子データ化した電子文書を簡単に作成するための文書作成システム、文書作成用冊子、文書作成方法を提供する。【解決手段】複数種類の台紙１１と、手書き領域１２ａを備えこの手書き領域１２ａを台紙１１と重ね合わせた際に前記図柄を視認可能に透過する透明乃至半透明なものとするとともに、当該手書き領域１２ａ内における位置情報を備えて構成した台紙１１とは別体の書込用シート１２とを備えて構成した文書作成用冊子Ａ１と、前記手書き領域１２ａに書き込んだ内容を位置情報とともに読み取りその読み取った手書き内容と位置情報とによって電子データに変換した手書き内容データを生成しその生成された手書き内容データを送信する電子ペンＡ２と、選択入力を受け付けて、送信された手書き内容データを受信し前記台紙１１に印刷してある図柄を示す画像データである図柄データを送信された手書き内容データを格納してある図柄データとともに出力する情報処理装置Ａ３とによって、電子文書を作成するようにする。【選択図】図６
2004139534.tif 000002
【特許請求の範囲】
【請求項１】
手書き領域を有する文書作成用冊子と、前記手書き領域に手書きするための筆記具と、この筆記具によって手書きされた内容を受け付けて表示する等の制御を行う情報処理装置とを備えて前記手書き領域に手書きされた内容に基づいた電子文書を作成するための文書作成システムであって、
前記文書作成用冊子は、絵、記号、罫線などの図柄を印刷した一種類又は複数種類の台紙と、前記手書き領域を有しこの手書き領域を前記台紙と重ね合わせた場合に前記図柄を視認可能に透過する透明乃至半透明なものとするとともに、当該手書き領域内における位置情報を備えて構成した台紙とは別体である１又は複数の書込用シートとを具備し、
前記筆記具は、前記手書き領域に書き込んだ内容を位置情報とともに読み取る読取部と、この読取部で読み取った手書き内容の位置情報によって電子データに変換した手書き内容データを生成する手書き内容データ生成部と、この手書き内容データ生成部で生成された手書き内容データを、直接的に或いは間接的に前記情報処理装置に送信する送信部とを具備し、
前記情報処理装置は、前記送信部より送信された手書き内容データを受信する受信部と、前記台紙に印刷してある図柄を示す画像データである図柄データを格納している図柄データ格納部と、前記送信部で送信された手書き内容データを前記図柄データ格納部に格納してある図柄データとともに出力する出力部とを備えていることを特徴とする文書作成システム。
【請求項２】
前記文書作成用冊子が、それぞれ異なる図柄を印刷された複数種類の台紙を備えたものであり、
前記情報処理処理装置に、選択した図柄を示す図柄識別子を受け付ける選択図柄識別子受付部と、
この図柄識別子受付部で受け付けられた図柄識別子に対応する図柄データを前記図柄データ格納部から抽出する抽出部とを設けるとともに、
前記出力部を、前記抽出部で抽出した図柄データと手書き内容データとを重ね合わせて出力する機能を有するように構成している請求項１記載の文書作成システム。
【請求項３】
前記文書作成用冊子が、前記図柄を選択するための選択記入欄を有するものであり、当該選択記入欄に前記読取部に読み取り可能な位置情報を備えて、
前記筆記具に、前記読取部で読み取った前記選択記入欄へ記入された選択を意味する記号又は文字等の位置情報から前記図柄識別子を生成する図柄識別子生成部を設けるとともに、前記送信部を、この図柄識別子生成部で生成した図柄識別子と前記手書き内容データとを送信するように構成している請求項２記載の文書作成システム。
【請求項４】
前記情報処理装置に、前記受信部で受信した手書き内容データから、その手書き内容に含まれる文字の全部又は一部をテキストデータに変換するデータ変換部をさらに備え、前記出力部に、このデータ変換部で変換されたテキストデータを含む手書き内容データを、前記図柄データと重ね合わせて表示する機能を有するように構成している請求項１、２、又は３記載の文書作成システム。
【請求項５】
前記位置情報が、前記手書き領域に前記筆記具の読取部によって読み取り可能に印刷されたマークによって与えられるものである請求項１、２、３又は４記載の文書作成システム。
【請求項６】
前記読取部によって読み取り可能なマークが、前記手書き領域に一定の法則により配置される微小な無数のドットからなり、これらドットの所定範囲内における配置パターンによって手書き領域上における平面的な絶対位置を判別可能なドットパターンである請求項５記載の文書作成システム。
【請求項７】
所定の手書き領域に書き込んだ内容を手書き領域上の位置情報とともに読み取る読取部と、この読取部で読み取った手書き内容の位置情報によって電子データに変換した手書き内容データを生成する手書き内容データ生成部と、前記手書き内容データ生成部で生成された手書き内容データを、直接的に或いは間接的に前記情報処理装置に送信する送信部とを備えた筆記具と、
前記送信部より送信された手書き内容データを受信する受信部と、所定の図柄データを格納している図柄データ格納部と、前記送信部で送信された手書き内容データを前記図柄データ格納部に格納してある図柄データとともに出力する出力部とを備えている情報処理装置とともに、
前記手書き領域に手書きされた内容に基づいた電子文書を作成する文書作成システムを構成する電子文書作成用冊子であって、
前記所定の図柄として、絵、記号、罫線などの図柄を印刷した一種類又は複数種類の台紙と、前記手書き領域を有しこの手書き領域を前記台紙と重ね合わせた際に前記図柄を視認可能に透過する透明乃至半透明なものとするとともに、当該手書き領域上における位置情報を備えて構成した台紙とは別体の書込用シートとを備えたことを特徴とする文書作成用冊子。
【請求項８】
前記台紙が、それぞれ異なる図柄を印刷された複数種類のものであり、これら複数の図柄を何れか選択するための選択記入欄を備え、当該選択記入欄に当該選択記入欄上における位置情報を備えている請求項７記載の文書作成用冊子。
【請求項９】
前記選択記入欄が、台紙に設けられている請求項８記載の文書作成用冊子。
【請求項１０】
前記台紙を、前記書込用シートと重ね合わせた状態でその一部が突出するように設定して、その台紙の突出領域に前記選択記入欄を設けている請求項９記載の文書作成用冊子。
【請求項１１】
前記選択記入欄が、前記筆記具の送信部での送信許可を意味する記号を記入するための送信許可記入欄としての機能を兼ねている請求項８、９又は１０記載の文書作成用冊子。
【請求項１２】
前記位置情報が、前記筆記具の読取部によって読み取り可能なマークによって与えられるものである請求項７、８、９、１０又は１１記載の文書作成用冊子。
【請求項１３】
前記読取部によって読み取り可能なマークが、前記手書き領域に一定の法則により配置される微小な無数のドットからなり、これらドットの所定範囲内における配置パターンによって手書き領域上における平面的な絶対位置を判別可能なドットパターンである請求項１２記載の文書作成用冊子。
【請求項１４】
前記台紙と前記書込用シートとを重ね合わせるための位置決め手段をさらに備えている請求項７、８、９、１０、１１、１２又は１３記載の文書作成用冊子。
【請求項１５】
手書き領域を有する文書作成用冊子と、前記手書き領域に手書きするための筆記具と、この筆記具によって前記手書きされた内容を受け付けて表示する等の制御を行う情報処理装置とを備えて前記手書き領域に手書きされた内容に基づいた電子文書を作成するための文書作成方法であって、
前記文書作成用冊子を、絵、記号、罫線などの図柄を印刷した一種類又は複数種類の台紙と、前記手書き領域を備えこの手書き領域を前記台紙と重ね合わせた際に前記図柄を視認可能に透過する透明乃至半透明なものとするとともに、その手書き領域内における位置情報を備えて構成した台紙とは別体の書込用シートとを備えて構成し、
前記筆記具で、前記手書き領域に書き込んだ内容を位置情報とともに読み取り、読み取った手書き内容と位置情報とによって電子データに変換した手書き内容データを生成し、生成された手書き内容データを、直接的に或いは間接的に前記情報処理装置に送信し、
情報処理装置で、前記筆記具より送信された手書き内容データを受信し、この手書き内容データを、予め格納しておいた図柄データとともに出力するようにしていることを特徴とする文書作成方法。
【発明の詳細な説明】
【０００１】
【発明の属する技術分野】
本発明は、所定の図柄に手書き内容を挿入して電子文書を作成する文書作成システム、文書作成用冊子、文書作成方法に関するものである。
【０００２】
【従来の技術】
従来、図、絵、罫線などの所定の図柄に手書き内容を加えるには、予めこれらの図柄が印刷されている用紙に直接書くことになる。
【０００３】
ところで、近年、手書きした内容を電子データ化することを実現するもののひとつとして、手書き内容を自動的に電子データ化する電子ペンが開発されている。（例えば、非特許文献１参照）このものは、手書き領域を有する用紙に印刷され当該手書き領域上の位置情報を与えるドットパターンを手書き内容とともにを読み取り、手書き内容を電子データに変換し、この電子データ化した手書き内容データをコンピュータや携帯電話などの情報処理装置に対して送信する機能を有している。
【０００４】
【非特許文献１】
増田　真樹、Ｂｌｏｕｔｏｏｔｈ内蔵アノトペンの仕組みは？−「アノトペン」（２）、［ｏｎｌｉｎｅ］、平成１３年４月２６日、インターネット＜ＵＲＬ：ｈｔｔｐ：／／ｗｗｗ．ｚｄｎｅｔ．ｃｏ．ｊｐ／ｍｏｂｉｌｅ／０１０４／２６／ａｎｏｔｏ２．ｈｔｍｌ＞
【０００５】
【発明が解決しようとする課題】
そこで、発明者は、この電子ペンのような筆記具を利用して、所定の図柄に手書き内容を挿入した文書を電子データ化した電子文書を簡単に作成するための文書作成システム、文書作成用冊子、文書作成方法を提供する。
【０００６】
【課題を解決するための手段】
すなわち、本発明は、手書き領域を有する文書作成用冊子と、前記手書き領域に手書きするための筆記具と、この筆記具によって手書きされた内容を受け付けて表示する等の制御を行う情報処理装置とを備えて前記手書き領域に手書きされた内容に基づいた電子文書を作成するための文書作成システムであって、前記文書作成用冊子は、絵、記号、罫線などの図柄を印刷した一種類又は複数種類の台紙と、前記手書き領域を備えこの手書き領域を前記台紙と重ね合わせた際に前記図柄を視認可能に透過する透明乃至半透明なものとするとともに、当該手書き領域内における位置情報を備えて構成した台紙とは別体の書込用シートとを備え、前記筆記具は、前記手書き領域に書き込んだ内容を位置情報とともに読み取る読取部と、読取部で読み取った手書き内容の位置情報によって電子データに変換した手書き内容データを生成する手書き内容データ生成部と、手書き内容データ生成部で生成された手書き内容データを、直接的に或いは間接的に前記情報処理装置に送信する送信部とを備え、前記情報処理装置は、前記送信部より送信された手書き内容データを受信する受信部と、前記台紙に印刷してある図柄を示す画像データである図柄データを格納している図柄データ格納部と、前記送信部で送信された手書き内容データを前記図柄データ格納部に格納してある図柄データとともに出力する出力部とを備えていることを特徴とする文書作成システムである。
【０００７】
ここで、「データ格納部」としては、電気通信回線を介してサーバコンピュータなどからダウンロード可能な形態であっても、情報処理装置に読み取り可能なＣＤ−ＲＯＭなどの記録媒体に記録された形態などであってものよい。
【０００８】
このようなシステムによれば、予め決まっている図柄に加えて手書きして、図柄と手書き内容とを合わせた電子文書を簡単に作成することができるようになる。そして、図柄を印刷した台紙を複数回利用することができるため、各用紙に必要な図柄が印刷されていた従来の帳票類、ポストカード等と比較して、製造コストを抑えることが可能となる。また、書込用シートと台紙とを別体で設けているため、書込用シートの方に位置情報を設ければ、台紙には図柄のみ印刷すればよく、その結果、筆記具に読み取らせるための位置情報に干渉されることなく、図柄のデザインの自由度を向上することができるようになる。加えて、台紙への印刷を簡単化し、ひいては、低価格化を実現することが可能となる。
【０００９】
そして、文書作成用冊子を、このようにそれぞれ異なる図柄を印刷された複数種類の台紙を備えたものとした場合に、それら複数の図柄から選択した図柄と手書き内容とを合わせた文書を作成するための好ましい具体的態様としては、情報処理装置に、何れの図柄を選択したかを示す選択図柄識別子を受け付ける選択図柄識別子受付部と、この選択図柄識別子受付部で受け付けられた図柄識別子に対応する図柄データを図柄データ格納部から抽出する抽出部とを設けるとともに、前記出力部を、前記抽出部で抽出した図柄データと手書き内容データとを重ね合わせて出力する機能を有するように構成しているものが挙げられる。なお、「図柄識別子を受け付ける」とは、情報処理装置が、入力装置による選択入力による図柄識別子を受け付けるようなものであってもよいし、筆記具に設けられた送信部によって送信された図柄識別子を受け付けるようなものであってもよい。また、「図柄識別子」とは、どの図柄かを特定できる或いは示唆するものであれば、所定の識別子に変換されたようなものであってもよいし、読取部で読み取られた位置情報そのものであってもよい。
【００１０】
このようなものにおいて、より使用勝手を向上するためには、前記文書作成用冊子が、前記図柄を選択するための選択記入欄を有するものであり、当該選択記入欄に前記読取部に読み取り可能な位置情報を設定し、前記筆記具に、前記選択記入欄へ記入する際に読取部により読み取った選択を意味する記号又は文字等の位置情報から前記図柄識別子を生成する図柄識別子生成部を設けるとともに、前記送信部を、この図柄識別子生成部で生成した図柄識別子と、前記手書き内容データとを送信するように構成するようにすれば好ましい。なお、「選択を意味する記号又は文字」とは、いわゆるチェックマーク、○印や×印等の記号、数字やアルファベットなどの文字を含む。すなわち、このようなものであれば、筆記具によって図柄を選択することができ、すなわち手元のみで操作することができて便利なものとすることができる。
【００１１】
また、電子データ化した手書き内容を、情報処理装置に扱い易いデータとするためには、前記情報処理装置に、前記受信部で受信した手書き内容データから、その手書き内容に含まれる文字の全部又は一部をテキストデータに変換するデータ変換部をさらに備え、前記出力部に、このデータ変換部で変換されたテキストデータを含む手書き内容データを、前記図柄データと重ね合わせて表示する機能を有するように構成することが好ましい。すなわち、このようにすれば、手書き内容を情報処理装置の入力デバイスなどで修正可能に構成することもできるようになる。
【００１２】
また、手書き領域に備えられた位置情報の具体的態様としては、前記手書き領域に前記筆記具の読取部によって読み取り可能に印刷されたマークによって与えられるものが挙げられる。特に、このように位置情報が印刷されたものである場合には、本発明において図柄を印刷した台紙と、書込用シートとを別体にすることが、特に有効な効果を奏する。マークの印刷と図柄の印刷を一度にすると、作業が繁雑になる上、コストも増大し、さらに印刷に使用したインクなどの着色料が干渉するためにマークの滲んでしまうことやマークが視認しにくくなる可能性があるため、これらを防ぐことができるからである。
【００１３】
さらに、このような位置情報を提供可能なマークとしては、例えば、手書き領域上に印刷されるドットの形状を複数設定し、所定範囲内に配置されたこれら複数形状のドットの組み合わせをパターン化としたようなもの、縦横に配置した罫線の太さを変えて、所定範囲内の前記罫線の重なり部分の大きさの組み合わせをパターン化したようなものであってもよいが、簡素で好適なものとしては、一定の法則により印刷された微小な無数のドットの所定範囲内での配置パターンによって前記記入欄上における平面的な絶対位置情報を示すドットパターンが挙げられる。
【００１４】
また、図柄に手書き内容を挿入した電子文書を作成することを実現する発明としては、所定の手書き領域に書き込んだ内容を手書き領域上の位置情報とともに読み取る読取部と、この読取部で読み取った手書き内容の位置情報によって電子データに変換した手書き内容データを生成する手書き内容データ生成部と、前記手書き内容データ生成部で生成された手書き内容データを、直接的に或いは間接的に前記情報処理装置に送信する送信部とを備えた筆記具と、前記送信部より送信された手書き内容データを受信する受信部と、所定の図柄データを格納している図柄データ格納部と、前記送信部で送信された手書き内容データを前記図柄データ格納部に格納してある図柄データとともに出力する出力部とを備えている情報処理装置とともに、前記手書き領域に手書きされた内容に基づいた電子文書を作成する文書作成システムを構成する電子文書作成用冊子であって、前記所定の図柄として、絵、記号、罫線などの図柄を印刷した一種類又は複数種類の台紙と、前記手書き領域を有しこの手書き領域を前記台紙と重ね合わせた際に前記図柄を視認可能に透過する透明乃至半透明なものとするとともに、当該手書き領域上における位置情報を備えて構成した台紙とは別体の書込用シートとを備えたことを特徴とする文書作成用冊子が挙げられる。
【００１５】
そして、台紙が、それぞれ異なる図柄を印刷された複数種類のものとした場合には、複数の図柄を選択するための選択記入欄を設け、当該選択記入欄に当該選択記入欄上における位置情報を備えるようにすることが望ましい。このようなものであれば、筆記具と文書用冊子によって、情報処理装置に選択のためのデータを与えることができるようになる。
【００１６】
このような選択記入欄は、例えば冊子の表紙や、別紙に設定することも可能であるが、台紙にそれぞれ設けるようにすることが望ましい。このようなものであれば、台紙を後から増やすことも簡単に可能となる。
【００１７】
このように選択記入欄を台紙に設ける場合には、前記台紙を前記書込用シートより大きく設定して、前記選択記入欄を、台紙と書込用シートとを重なり合わせた状態での台紙上の書込用シートと重ならない突出した領域に設けるようにすれば、使用者に使い易い。
【００１８】
このような選択記入欄を有効に利用するには、筆記具の送信部での送信許可を意味する記号を記入するための送信許可記入欄としての機能を兼ねるようにすると望ましい。このようにすれば、別個に送信許可記入欄を設けずともよく、コストを低減することが可能となるからである。
【００１９】
また、手書き領域に備えられた位置情報の具体的態様としては、上述したように手書き領域に、筆記具の読取部によって読み取り可能に印刷されたマークによって与えられるものが挙げられる。
【００２０】
さらに、このようなマークとして、簡素で好適なものとしては、一定の法則により印刷された微小な無数のドットの所定範囲内での配置パターンによって前記記入欄上における平面的な絶対位置情報を示すドットパターンが挙げられる。
【００２１】
また、作成された文書において、図柄に対して適正な位置に手書き内容が挿入されるようにするためには、前記台紙と前記書込用シートとを重ね合わせるための位置決め手段をさらに設けることが望ましい。
【００２２】
また、本発明は、手書き領域を有する文書作成用冊子と、前記手書き領域に手書きするための筆記具と、この筆記具によって前記手書きされた内容を受け付けて表示する等の制御を行う情報処理装置とを備えて前記手書き領域に手書きされた内容に基づいた電子文書を作成するための文書作成方法であって、前記文書作成用冊子を、絵、記号、罫線などの図柄を印刷した一種類又は複数種類の台紙と、前記手書き領域を備えこの手書き領域を前記台紙と重ね合わせた際に前記図柄を視認可能に透過する透明乃至半透明なものとするとともに、当該手書き領域内における位置情報を備えて構成した台紙とは別体の書込用シートとを備えて構成し、前記筆記具で、前記手書き領域に書き込んだ内容を位置情報とともに読み取り、読み取った手書き内容と位置情報とによって電子データに変換した手書き内容データを生成し、生成された手書き内容データを、直接的に或いは間接的に前記情報処理装置に送信し、情報処理装置で、前記筆記具より送信された手書き内容データを受信し、この手書き内容データを、予め格納しておいた図柄データとともに出力するようにしていることを特徴とする文書作成方法として挙げられる。
【００２３】
【発明の実施の形態】
以下、本発明の一実施形態を、図面を参照して説明する。
【００２４】
この文書作成システムＡは、図１に示すように手書き領域１２ａを有する文書作成用冊子Ａ１と、この手書き領域１２ａに手書きした内容を書き込むと同時に読み取って電子データ化する筆記具たる電子ペンＡ２と、この電子ペンＡ２から送信される手書き内容データを受け付けて表示する等の制御を行う情報処理装置Ａ３とを備えてなり、予め印刷してある絵、図、罫線等の図柄に手書きで書いた内容を挿入して電子文書を作成するためのシステムである。
【００２５】
まず、文書作成用冊子Ａ１について説明する。この文書作成用冊子Ａ１は、図１及び２に示すように、異なる図柄を印刷された複数種類の台紙１１と、手書き領域１２ａを有しこの手書き領域１２ａを前記台紙１１と重ね合わせた状態で図柄を視認可能に透過する透明乃至半透明である複数の書込用シート１２とを備えてなる。
【００２６】
先に書込用シート１２から説明する。この書込用シート１２は、透明乃至半透明の紙や紙などによって、矩形状に形成したものである。本実施形態では、図示したように、複数の書込用シート１２を、樹脂製のリングＲで綴っている。図示例のものでは、その表側の表面の枠１２１で囲まれた領域を手書き領域１２ａとしており、この手書き領域を含む表面全面に、当該手書き領域１２ａ上の位置情報を与えるマークであるドットｄからなるドットパターンＤＰを印刷している。
【００２７】
このドットパターンＤＰは、図３にその一部拡大図を示すように、一定の法則により配置された微少な円形状の無数のドットｄからなり、これらドットｄの所定範囲内（例えば２ミリ四方）における配置パターンによって、手書き領域１２ａ上の平面的な絶対位置を判別可能にしたもので、例えば、図示例のように、印刷されていない縦横に等間隔に走る罫線（図中想像線で示している）の交点を基準点として設定しておき、この基準点からのドットｄの相対的な位置関係を利用してパターンとしたものなどである。なお、本実施形態において、このドットパターンＤＰは、カーボンインクによって印刷されたものであるが、例えば、透明であり且つ電子ペンＡ２に備えられている後述する赤外線照射部Ｌよって所定波長の光を照射されてＣＭＯＳカメラ２ｂが撮像可能な光を発光するインクたる発光インクによって印刷するようにして、ドットパターンＤＰが、透明乃至半透明のシート１２から目立たないようにしたようなものであってもよい。
【００２８】
また、各台紙１１は、例えば紙や樹脂などを素材として略矩形平板状に成形したもので、表裏の表面の少なくともどちらか一方に図柄を印刷してある。この図柄としては、例えば図示例のように、種々の風景画などをカラー印刷したものが挙げられる。そして、この台紙１１は、図２においては、一枚一枚を分離した状態となっているものを示しているが、適宜の手段で綴られた状態になっているものであってもよい。また、複数の書込用シート１２とともに、綴られた状態となっているものであってもよい。そして、本実施形態においては、一端部（図示例ものものでは上端部）に、前記書込用シート１２を綴っているリングＲの形状に対応した切欠１１１を設けて、書込用シート１２と重ね合わせた際にずれが生じるのを防止する位置決め手段として機能させている。また、この台紙１１は、書込用シート１２を重ねた場合に、その書込用シート１２から下端部が突出するような大きさ及び形状に設定してあり、この突出領域１１ａの一部に「Ｓｅｎｄ」と印した送信許可記入欄１１２を設け、電子ペンＡ２によって手書き内容を読み込ませて生成した手書き内容データを送信してもよい場合に、使用者がその送信許可を意味する記号としていわゆるチェックマークＣＫ（図１参照）などを記入するようにしている。この送信許可記入欄１１２には、前述したものと同機能を有するドットパターンＤＰが印刷されている。なお、このドットパターンＤＰは、送信許可記入欄１１２のみに印刷されてあっても、突出領域１１ａ全体に印刷されたものであってもよい。そして、この本実施形態の送信許可記入欄１１２は、チェックマークＣＫを記入された場合にその送信許可記入欄１１２を備えた台紙の図柄を選択したことを意味するようにしてあり、すなわち、複数の図柄の何れかを選択するための選択記入欄としても機能するものである。
【００２９】
電子ペンＡ２は、図４にその内部機器構成を簡略化して示しているように、インクや黒鉛等を備えたペン先２ａ、赤外線照射部Ｌを備えた小型のＣＭＯＳカメラ２ｂ、プロセッサ２ｃ、メモリ２ｄ、Ｂｌｕｅｔｏｏｔｈ技術等を利用したワイヤレストランシーバ等の通信インターフェース２ｅ、及びバッテリ２ｆ等を内蔵している。そして、メモリ２ｄに記憶したプログラムに従ってプロセッサ２ｃや他の機器が作動し、少なくとも読取部２１と、手書き内容データ生成部２２と、手書き内容データ記憶部２３と、図柄識別子生成部２４と、送信許可確認部２５と、送信部２６としての機能を有している。
【００３０】
読取部２１は、ペン先２ａを書込用シートの手書き領域１２ａに接触させて移動させる手書き動作が開始されると、その手書きされる軌跡、すなわち手書き内容を手書き動作と同時に自動的に読み取るものである。また、送信許可記入欄１１２にチェックマークＣＫが手書きされる場合にも、その手書きされる軌跡を読み取るものである。具体的には、図示を省略した筆圧センサーに一定以上の筆圧が検知されたことを開始信号として、ＣＭＯＳカメラ２ｂが作動し、ＣＭＯＳカメラ２ｂに備えられた赤外線照射部Ｌが所定波長の赤外線の照射するとともに、前記ペン先２ａの移動に伴って当該ペン先２ａ近傍の所定範囲のドットパターンＤＰを次々と例えば一秒間に数十回から百回連続して撮像する。
【００３１】
手書き内容データ生成部２２は、前記読取部２１で読み取った手書き内容を示す軌跡をその位置情報によって前記プロセッサ２ｃにより数値化し更にデジタル化することにより電子データ化した画像データである手書き内容データを生成するものである（図７参照）。
【００３２】
手書き内容データ記憶部２３は、前記手書き内容データ生成部２３で電子データ化された手書き内容データを、内部メモリ２ｄの所定領域に少なくとも送信されるまで記憶するものである。
【００３３】
一方、図柄識別子生成部２４は、前記読取部２１によって読み取られた、前記送信許可記入欄１１２に記入されたチェックマークの位置情報から、どの図柄を選択したかを示す図柄識別子を生成するものである。本実施形態においては、図７に示したように、送信許可記入欄１１２へのチェックマークの記入動作とともに撮像されたドットパターンＤＰによる位置情報そのものを、図柄識別子としている。この図７において、便宜上それぞれのドットパターンＤＰを５桁の数字に対応させて模式的に示している。なお、位置情報を、そのまま図柄識別子とするのでなく、例えば数字などで示される図柄識別子に変換するように構成してもよい。
【００３４】
また、送信許可確認部２５は、読取部２１によって何れかの送信許可記入欄１１２へチェックマークＣＫが記入されたかどうかを確認して、チェックマークＣＫの記入が確認された場合に送信部２６への送信信号を生成するものである。なお、本実施形態においては、前記図柄識別子生成部２４が、何れかの送信許可記入欄１１２にチェックマークＣＫが記入されたことを確認する送信許可確認部２５としての機能を兼ねている。
【００３５】
送信部２６は、送信信号を受けた場合に、通信インターフェースを利用して前記手書きデータ記憶部２３で一時的に記憶している手書き内容データと、図柄識別子とを送信するものである。
【００３６】
また、情報処理装置Ａ３は、ＣＰＵ３０１、メインメモリやビデオメモリ等のメモリ３０２、ＨＤＤ等の外部記憶装置３０３、マウスやキーボード等の入力装置３０４、ＣＤ−ＲＯＭドライブ３０５、モデムやＢｌｕｅｔｏｏｔｈ等無線通信の通信部を含む通信インターインターフェース３０６、ディスプレイ３０７などを備えた汎用のパーソナルコンピュータであり、さらにプリンタ３０８に有線或いは無線で接続してある。そして、本実施形態において、ＨＤＤ等の外部記憶装置３０３に記憶させたプログラムを従ったＣＰＵ３０１からの指令に基づいて各部を動作させることにより、少なくとも受信部３１と、データ変換部３２と、図柄データ格納部３３と、図柄データ抽出部３４と、記憶部３５と、出力部たる表示部３５及び印刷出力部３６として機能するようにしている。
【００３７】
受信部３１は、通信インターインターフェース３０６によって、前記送信部２６から送信された手書き内容データと、図柄識別子とを受け付けるものであり、請求項２記載の図柄識別子受付部としても機能するものである。
【００３８】
データ変換部３２は、ＨＤＤなどの外部記憶装置３０３に記憶させておいたソフトウエアを起動することにより、前記受信部３１で受信した手書き内容データのうち、文字に対応する部分を、ＯＣＲ機能等を利用してテキストデータへ変換するものである。なお、このテキストデータへの変換は、指定した一部のみに適用するようにしてもよい。
【００３９】
図柄データ格納部３３は、ＨＤＤなどの外部記憶装置３０３の所定の記憶領域や、ＣＤ−ＲＯＭドライブ３０６に装着したＣＤ−ＲＯＭの所定領域に、図７に示したように、台紙１１に印刷された図柄に対応する画像データを、を、その図柄が印刷された台紙１１の送信許可記入欄１１２のドットパターンによる位置情報に関連付けて格納しているものである。さらに、図示例のように、図柄データを判別するために与えられたそれぞれ固有の番号或いは記号などとともに記憶させておいてもよい。なお、図７においても、図６に示した図柄識別子と同様に、送信許可記入欄１１２に印刷されたドットパターンＤＰを数字に対応させて模式的に示している。
【００４０】
図柄データ抽出部３４は、受信部３１で受信した図柄識別子の有する位置情報と、前記図柄データ格納部３３に格納されている図柄データごとの送信許可記入欄１１２の位置情報と比較して、対応する図柄データを抽出するものである。この図柄データを少なくとも一時的に記憶するように設定してもよい。
【００４１】
表示部３５は、前記変換後手書き内容データ及び図柄データを合成した状態でディスプレイ７に表示するように表示制御信号を発信するものである。なお、前記受信部３１で受信した手書き内容データを、変換しない状態で、すなわち画像データ形式で表示するようにしたものであってもよい。ここで、これら変換後手書き内容データ及び図柄データを表示するためのプログラムは、専用のものであってもよいし、画像データを表示可能なものであれば汎用のソフトウエアであってよい。
【００４２】
印刷出力部３６は、前記変換後手書き内容データ及び図柄データを合成した状態でプリンタ３０８に出力するように印刷出力制御信号を発信するものである。なお、表示部３５と同様に、前記受信部３１で受信した手書き内容データを、変換しない状態でそのまま表示するようにしたものであってもよい。
【００４３】
以上のように構成した文書作成システムＡを使用する場合の動作について、図９、図１０に示すフローチャートを利用して説明する。
【００４４】
まず、所定の図柄（図示例では富士山の絵）が印刷されている台紙１１の上に書込用シート１２を重ねるようにする。この際、台紙の切欠１１１がリングＲにはまるように差し込んで、台紙１１と書込用シート１２との位置決めを行う。
【００４５】
次に、電子ペンＡ２で書込用シート１２上に手書きを開始すると、図８に示すように、手書き動作と同時に電子ペンＡ２内に設けられた筆圧センサーが筆圧検知を開始信号として、読取部２１を構成するＣＭＯＳカメラ２ｂによってペン先部２ａの動きに合わせドットパターンＤＰの撮像を開始する。（Ｓ１１）。そして、これら撮像されたドットパターンＤＰに基づく画像データ形式の手書き内容データを生成し（Ｓ１２）、内部メモリ２ｄに記憶する（Ｓ１３）。この状態で、前記台紙１１の突出領域１１ａに設けられた送信許可記入欄１１２へのチェックマークＣＫの撮像が確認された場合には（Ｓ１４）、この撮像されたドットパターンＤＰの位置情報から、どの台紙１１の図柄を選択したかを示す図柄識別子を生成する（Ｓ１５）とともに、送信プログラムが起動して内部メモリ２ｄに記憶された手書き内容データと図柄識別子とを、ブルートゥースを介して情報処理装置Ａ３に送信する（Ｓ１６）。
【００４６】
これに対して、情報処理装置は、まず電子ペンＡ２から送信された手書き内容データと図柄識別子とを受信する。（Ｓ２１）。
【００４７】
次に、受信した画像データ形式の手書き内容データのうち文字の部分を認識してテキストデータに変換する（Ｓ２２）。
【００４８】
一方、受信部３１で受信した図柄識別子を構成するチェックマーク記入時の位置情報を、図柄データ格納部に格納された送信許可記入欄１１２に印刷されているドットパターンＤＰと比較して、該当する図柄データを抽出する（Ｓ２３）。そして、前記変換後手書き内容データと図柄データとを合成した状態でディスプレイ３０７に表示する（Ｓ２４）。また、印刷開始信号を受け付けた場合には、前記変換後手書き内容データと図柄データとを合成した状態でプリンタ３０８に印刷出力信号を発信する（Ｓ２５）。
【００４９】
以上のように構成した文書作成システムＡによれば、複数の図柄のうち所望のものに、手書き内容を加えた電子文書を簡単に作成することができる。さらに、図柄を印刷した台紙１１は、複数回利用することができるため、各用紙に図柄が印刷されているようなものと比較して、製造コストを抑えることができる。また、台紙１１と書込用シート１２とを別体で設けているため、台紙１１には図柄のみを、そして書込用シート１２にはドットパターンのみを印刷すればよく、印刷のための作業が簡単になり低コスト化を実現することができ、加えて、ドットパターンＤＰの干渉を考慮せずともよく図柄Ｚのデザインの自由度を向上することができる。
【００５０】
また、データ変換部３２を設けて手書きした文字をテキストデータに変換できるようにしているため、上記実施形態には記載していないが、さらに、ディスプレイ３０７に表示された画面上で入力装置３０４などを利用して文字を修正する修正部を設けることも可能である。さらに、フォントや大きさを変更するなど、文書のデザインの向上を図ることも可能となる。
【００５１】
また、電子ペンＡ２で冊子に設けた送信許可記入欄１１２を記入することで図柄Ｚを選択するようにしているので、情報処理装置Ａ３に格納してある図柄データを抽出するための操作を手元で行うことができ便利である。
【００５２】
また、文書作成用冊子Ａ１の送信許可記入欄１１２を選択記入欄としても機能させるようにしているので、製造コストの削減できる。
【００５３】
台紙１１ごとに前記送信許可記入欄１１２を設けるようにしたので、台紙１１の種類を増加させた場合でも、選択のための欄を増やす等の加工をする必要がなく、そのまま対応することができる。
【００５４】
また、台紙１１を書込用シート１２の下端より突出させた突出領域１１ａを設けて形成し、この突出領域１１ａに送信許可記入欄１１２を設けているので、チェックマークの記入が行いやすい。
【００５５】
台紙１１に位置決め手段としての切欠１１１を設けたので、手書きする際に台紙１１の図柄Ｚとずれることなく適正な位置に記入することができる。
【００５６】
本発明は、上記実施形態に限られない。
【００５７】
例えば、文書作成用冊子Ａ１に設けられる位置決め手段としては、例えば台紙１１の端部に設けた突起部によって書込用シート１２の移動を禁止するように構成したものであってもよく、書込用シート１２側に設けられたものや、これら台紙１１や書込用シート１２とは別体の例えば留め具のようなものであってもよい。
【００５８】
また、図１１から図１３に示すような文書作成用冊子Ｂ１、Ｃ１、Ｄ１であってもよい。なお、図１１〜１３において、上記実施形態と同様の構成には、特に詳述することなく同様の或いは対応した符号を付している。
【００５９】
図１１に示す文書作成用冊子Ｂ１は、位置決め手段として書込用シートの下端に合わせるための位置決めラインＢ１１１を設けた台紙Ｂ１１を有するものである。さらに、位置決め手段を備えない台紙を有するようなものであってもよい。
【００６０】
また、図１２に示す文書作成用冊子Ｃ１は、帳票用の罫線などから構成される図柄Ｚを印刷した１種類の台紙Ｃ１１と、この台紙Ｃ１１とともにリングＲで綴った複数の透明乃至半透明の書込用シート１２とからなり、台紙Ｂ１１に重ね合う書込用シート１２を順次使用していくように構成したものである。このようなものであれば、帳票のように同じ内容のものを何枚も要するようなものの場合であっても、一つの台紙Ｃ１１さえあれば事足りることになり、製造コストを大幅に削減することが可能となる。しかも、手書き内容を情報処理装置Ａ３に別途入力するような作業を必要とせず、経理等の事務作業の負担を軽減することも可能である。
【００６１】
また、図１３に示す文書作成用冊子Ｄ１は、複数種類の台紙Ｄ１１とこれら台紙の表紙Ｈを備え、これらをリングＲで綴じている。そして、選択記入欄としても機能する送信記入欄Ｈ１１１を表紙Ｈに備えている。台紙Ｄ１１の一部に記載された番号に対応した送信記入欄Ｈ１１１に電子ペンＡ２でチェックマークＣＫなどのマークを記入すると、対応する図柄識別子が生成されるようになっている。使用する場合には、書込用シート１２を一枚ずつリングＲから外して、台紙Ｄ１１に重ね合わせて手書きするようにする。
【００６２】
また、台紙に複数種類の図柄を印刷してあり、それらのいずれかを選択する選択記入欄を備えたようなもの文書作成用冊子あってもよい。この選択記入欄が、送信記入欄を兼ねていてよいのは勿論である。
【００６３】
その他、文書作成用冊子Ａ１に選択記入欄として機能する欄を設けず、情報処理装置Ａ３に設定する選択図柄識別子受付部として、入力装置３０４による何れの図柄を選択したかを示す入力によって発生する信号を選択図柄識別子として受け付けるように構成したものであってもよい。
【００６４】
また、情報処理装置に、入力装置によって、ディスプレイに表示された図柄データと手書き内容データとの位置を変更したり、テキストデータに変換した文字の位置やフォント等を変更する修正変更部をさらに設けたものであってもよい。
【００６５】
筆記具としては、ＯＣＲ機能を備え、手書きした文字をテキストデータに変換した状態で情報処理装置に送信するようなものであってもよい。
【００６６】
その他、各部の具体的構成についても上記実施形態に限られるものではなく、本発明の趣旨を逸脱しない範囲で種々変形が可能である。
【００６７】
【発明の効果】
本発明は、以上説明したような形態で実施され、以下に記載されるような効果を奏する。
【００６８】
すなわち、本発明は、手書き領域を有する文書作成用冊子と、前記手書き領域に手書きするための筆記具と、この筆記具によって前記手書きされた内容を受け付けて表示する等の制御を行う情報処理装置とを備えて前記手書き領域に手書きされた内容に基づいた電子文書を作成するために、前記文書作成用冊子を、絵、記号、罫線などの図柄を印刷した一種類又は複数種類の台紙と、前記手書き領域を備えこの手書き領域を前記台紙と重ね合わせた際に前記図柄を視認可能に透過する透明乃至半透明なものとするとともに、その手書き領域内における位置情報を備えて構成した台紙とは別体の書込用シートとを備えて構成し、筆記具で、前記手書き領域に書き込んだ内容を位置情報とともに読み取り、読み取った手書き内容と位置情報とによって電子データに変換した手書き内容データを生成し、生成された手書き内容データを、直接的に或いは間接的に前記情報処理装置に送信し、情報処理装置で、前記筆記具より送信された手書き内容データを受信し、この手書き内容データを、予め格納しておいた図柄データとともに出力するようにしていることを特徴とするものであるので、予め決まっている図柄に加えて手書きして、図柄と手書き内容とを合わせた電子文書を簡単に作成することができる。そして、図柄を印刷した台紙を複数回利用することができるため、製造コストを抑えることが可能である。また、書込用シートと台紙とを別体で設けているため、書込用シートの方に位置情報を設ければ、台紙には図柄のみ印刷すればよく、その結果、筆記具に読み取らせるための位置情報に干渉されることなく、図柄のデザインの自由度を向上することができる。加えて、台紙への印刷を簡単化し、ひいては、低価格化を実現することができる。
【図面の簡単な説明】
【図１】本発明の一実施形態を示す全体図。
【図２】同実施形態における文書作成用冊子を示す全体図。
【図３】同実施形態におけるドットパターンを示す要部拡大図。
【図４】同実施形態における電子ペンの機器構成図。
【図５】同実施形態における情報処理装置の機器構成図。
【図６】同実施形態を示す機能構成図。
【図７】同実施形態において送信部で送信されるデータの内容を示す図。
【図８】同実施形態における図柄データの格納態様を示す図。
【図９】同実施形態における電子ペンの動作を示すフローチャート。
【図１０】同実施形態における情報処理装置の動作を示すフローチャート。
【図１１】文書作成用冊子の変形例を示す図。
【図１２】文書作成用冊子の変形例を示す図。
【図１３】文書作成用冊子の変形例を示す図。
【符号の説明】
Ａ・・・文書作成システム
Ａ１・・・文書作成用冊子
Ａ２・・・筆記具（電子ペン）
Ａ３・・・情報処理装置
１１・・・台紙
１１ａ・・・突出領域
１１１・・・位置決め手段（切欠）
１１２・・・送信許可記入欄（＝選択記入欄）
１２・・・書込用シート
１２ａ・・・手書き領域
２１・・・読取部
２２・・・手書きデータ生成部
２４・・・図柄識別子生成部
２６・・・送信部
３１・・・受信部（＝図柄識別子受付部）
３２・・・データ変換部
３３・・・図柄データ格納部
３４・・・図柄データ抽出部
３５・・・出力部（表示部）
３６・・・出力部（印刷出力部）
ｄ・・・ドット
ＤＰ・・・ドットパターン
Ｚ・・・図柄
Ｂ１、Ｃ１、Ｄ１・・・文書作成用冊子
Ｂ１１、Ｃ１１、Ｄ１１・・・台紙
Ｂ１１１・・・位置決め手段（位置決めライン）
Ｈ１１２・・・送信許可記入欄（＝選択記入欄）
【図１】
2004139534.tif 000003
【図２】
2004139534.tif 000004
【図３】
2004139534.tif 000005
【図４】
2004139534.tif 000006
【図５】
2004139534.tif 000007
【図６】
2004139534.tif 000008
【図７】
2004139534.tif 000009
【図８】
2004139534.tif 000010
【図９】
2004139534.tif 000011
【図１０】
2004139534.tif 000012
【図１１】
2004139534.tif 000013
【図１２】
2004139534.tif 000014
【図１３】
2004139534.tif 000015